【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、ここにおいて、前記決定することは、
リソース要素グループ（ＲＥＧ）に関してトラフィック対パイロット比（ＴＰＲ）推定を実行することと、
前記ＴＰＲ推定の結果に基づいて前記ＣＣＥのセットを決定することと
を含む、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと
を備える方法。
【請求項２】
前記制約のうちの１つが、各アグリゲーションレベルについて、前記制御チャネルのための利用可能な開始ＣＣＥを制限する制約を備える、請求項１に記載の方法。
【請求項３】
前記候補を評価することが、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試みることと、
ＲＮＴＩを導出することができない候補を取り除くことによって、前記候補セットにおける候補の数を減らすことと
を含む、請求項１に記載の方法。
【請求項４】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、ここにおいて、前記候補を評価することは、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試みることと、
ＲＮＴＩを導出することができない候補を取り除くことによって、前記候補セットにおける候補の数を減らすことと
を含む、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと、
導出されたＲＮＴＩおよび仮定されたアグリゲーションレベルに基づいて、前記導出されたＲＮＴＩに対応する望ましいＣＣＥのセットを含むユーザ機器（ＵＥ）固有の探索空間を導出することと、
前記導出されたＲＮＴＩに対する復号された候補に対応する仮定されたＣＣＥのセットが前記望ましいＣＣＥのセットのサブセットでない、または前記望ましいＣＣＥのセットに等しくない場合、ＣＲＣ失敗を宣言することと、
前記ＣＲＣ失敗の前記宣言に応答して、前記復号された候補を破棄することと
を備える方法。
【請求項５】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、ここにおいて、前記候補を評価することは、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試みることと、
ＲＮＴＩを導出することができない候補を取り除くことによって、前記候補セットにおける候補の数を減らすことと
を含む、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと、
同じセルの同じサブフレーム内の同じ導出されたＲＮＴＩについて複数の候補に対してＣＲＣ合格が宣言された場合、最大のメトリックを有する候補を選択し、残りの候補を破棄することと
を備える方法。
【請求項６】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、ここにおいて、前記候補を評価することは、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試みることと、
ＲＮＴＩを導出することができない候補を取り除くことによって、前記候補セットにおける候補の数を減らすことと
を含む、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと、
同じセルの同じサブフレーム内の重複するＣＣＥを有する複数の候補に対してＣＲＣ合格が宣言された場合、最大のメトリックを有する候補を選択し、残りの候補を破棄すること
を備える方法。
【請求項７】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、ここにおいて、前記候補を評価することは、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試みることと、
ＲＮＴＩを導出することができない候補を取り除くことによって、前記候補セットにおける候補の数を減らすことと
を含む、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと、
同じセルの候補のセットに対してＣＲＣ合格が宣言された場合、かつ少なくとも１つのダウンリンク制御情報（ＤＣＩ）フォーマットが明示的マルチユーザ多入力多出力（ＭＵ−ＭＩＭＯ）サポートに関連付けられていない場合、最も低いメトリックを有する少なくとも１つの候補を破棄すること
を備える方法。
【請求項８】
前記解釈された情報を使用して、サービングセルにおける送信の復号を支援するために干渉除去を実行する際に使用するための前記干渉セルにおける送信を復号することが、
導出されたＲＮＴＩを使用して、前記干渉除去を実行する際に使用するための前記干渉セルにおける送信を復号すること
を含む、請求項３に記載の方法。
【請求項９】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、ここにおいて、前記候補を評価することが、
テイルバイティング畳込み符号（ＴＢＣＣ）メトリックを満たさない候補を考慮の対象から取り除くことによって前記候補セットにおける候補の数を減らすこと
を含む、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと
を備える方法。
【請求項１０】
前記１つまたは複数の復号候補のセットを特定することが、前記干渉セルのシステム帯域幅、送信アンテナの数、またはキャリアタイプのうちの少なくとも１つに基づいて、前記制御チャネルに対する考えられるペイロードサイズのセットを決定することを含む、請求項１に記載の方法。
【請求項１１】
複数のアグリゲーションレベルおよび前記決定されたペイロードサイズの各々について前記制御チャネルの前記復号候補を復号しようと試みることをさらに備える、請求項１０に記載の方法。
【請求項１２】
前記ＣＣＥのセットを決定することが、
前記干渉セルの識別子、およびブロードキャストチャネルを復号することによって得られた情報に基づいて、前記ＣＣＥに関する情報を導出すること
を含む、請求項１に記載の方法。
【請求項１３】
前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含む、請求項１に記載の方法。
【請求項１４】
前記解釈された情報を使用して、前記干渉セルにおける送信を復号することが、前記解釈された情報を使用して、前記ＰＤＳＣＨのリソースブロック（ＲＢ）割振り、変調次数、およびランクを決定することを含む、請求項１３に記載の方法。
【請求項１５】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと、
を備え、
前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含み、前記方法はさらに、
割り当てられたＰＤＳＣＨリソースブロック（ＲＢ）に対してトラフィック対パイロット比（ＴＰＲ）検出を実行して、前記割り当てられたＰＤＳＣＨ  ＲＢの各々におけるＰＤＳＣＨ送信を検出することと、
前記ＴＰＲ検出の結果と前記解釈された情報との比較に基づいて、前記ＰＤＣＣＨの前記解釈された情報が正しいかどうかをチェックすることと
を備える方法。
【請求項１６】
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、
前記決定された１つまたは複数の残存候補から前記制御チャネルを復号することと、 前記復号された制御チャネルからの情報を解釈することと、
前記解釈された情報を使用して、サービングセルにおける送信の復号を支援するために干渉消去を実行する際に使用するための前記干渉セルにおける送信を復号することと、
を備え、前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含み、前記方法はさらに、
割り当てられたＰＤＳＣＨリソースブロック（ＲＢ）に対してブラインド検出を実行して、対応するＰＤＳＣＨ情報を決定することと、
前記決定されたＰＤＳＣＨ情報と前記解釈された情報との比較に基づいて、前記ＰＤＣＣＨの前記解釈された情報が正しいかどうかをチェックすることと
を備える方法。
【請求項１７】
ワイヤレス通信のための装置であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定する手段と、ここにおいて、前記決定する手段は、
リソース要素グループ（ＲＥＧ）に関してトラフィック対パイロット比（ＴＰＲ）推定を実行し、
前記ＴＰＲ推定の結果に基づいて前記ＣＣＥのセットを決定する
ように構成される、
干渉セルにおいて送信される前記制御チャネルのための１つまたは複数の復号候補のセットを前記決定に基づいて特定する手段と、
前記候補のセットを評価して、前記制御チャネルを復号するために使用されるべき、１つまたは複数の残存候補を決定する手段と、
前記決定された１つまたは複数の残存候補から前記制御チャネルを復号する手段と、
前記復号された制御チャネルからの情報を解釈する手段と、
前記解釈された情報を使用して、サービングセルにおける送信の復号を支援するために干渉除去を実行する際に使用するための前記干渉セルにおける送信を復号する手段と
を備える装置。
【請求項１８】
前記制約のうちの１つが、各アグリゲーションレベルについて、前記制御チャネルのための利用可能な開始ＣＣＥを制限する制約を備える、請求項１７に記載の装置。
【請求項１９】
前記候補を評価する前記手段が、
復号された情報ビットおよび復号された巡回冗長検査（ＣＲＣ）ビットから計算されたＣＲＣ値に基づいて、候補についての無線ネットワーク一時識別子（ＲＮＴＩ）を導出しようと試み、
ＲＮＴＩを導出することができない候補を取り除くことによって、前記候補セットにおける候補の数を減らすように構成される、請求項１７に記載の装置。
【請求項２０】
前記解釈された情報を使用して、サービングセルにおける送信の復号を支援するために干渉除去を実行する際に使用するための前記干渉セルにおける送信を復号する前記手段が、
導出されたＲＮＴＩを使用して、前記干渉除去を実行する際に使用するための前記干渉セルにおける送信を復号するように構成される、請求項１９に記載の装置。
【請求項２１】
ワイヤレス通信のための装置であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定する手段と、
干渉セルにおいて送信される前記制御チャネルのための１つまたは複数の復号候補のセットを前記決定に基づいて特定する手段と、
前記候補のセットを評価して、前記制御チャネルを復号するために使用されるべき、１つまたは複数の残存候補を決定する手段と、ここにおいて、前記候補を評価する前記手段が、
テイルバイティング畳込み符号（ＴＢＣＣ）メトリックを満たさない候補を考慮の対象から取り除くことによって前記候補セットにおける候補の数を減らすように構成される、
前記決定された１つまたは複数の残存候補から前記制御チャネルを復号する手段と、
前記復号された制御チャネルからの情報を解釈する手段と、
前記解釈された情報を使用して、サービングセルにおける送信の復号を支援するために干渉除去を実行する際に使用するための前記干渉セルにおける送信を復号する手段と
を備える装置。
【請求項２２】
前記１つまたは複数の復号候補のセットを特定する前記手段が、
前記干渉セルのシステム帯域幅、送信アンテナの数、またはキャリアタイプのうちの少なくとも１つに基づいて、前記制御チャネルに対する考えられるペイロードサイズのセットを決定するように構成される、請求項１７に記載の装置。
【請求項２３】
複数のアグリゲーションレベルおよび前記決定されたペイロードサイズの各々について前記制御チャネルの前記復号候補を復号しようと試みる手段をさらに備える、請求項２２に記載の装置。
【請求項２４】
前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含む、請求項１７に記載の装置。
【請求項２５】
前記解釈された情報を使用して、前記干渉セルにおける送信を復号する前記手段が、前記解釈された情報を使用して、前記ＰＤＳＣＨのリソースブロック（ＲＢ）割振り、変調次数、およびランクを決定するように構成される、請求項２４に記載の装置。
【請求項２６】
ワイヤレス通信のための装置であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、干渉セルにおいて送信される前記制御チャネルのための１つまたは複数の復号候補のセットを前記決定に基づいて特定することと、前記候補のセットを評価して、前記制御チャネルを復号するために使用されるべき、１つまたは複数の残存候補を決定することと、前記決定された１つまたは複数の残存候補から前記制御チャネルを復号することと、前記復号された制御チャネルからの情報を解釈することと、前記解釈された情報を使用して、サービングセルにおける送信の復号を支援するために干渉除去を実行する際に使用するための前記干渉セルにおける送信を復号することと、を行うように構成された少なくとも１つのプロセッサと、ここにおいて、前記少なくとも１つのプロセッサは、リソース要素グループ（ＲＥＧ）に関してトラフィック対パイロット比（ＴＰＲ）推定を実行すること、および、前記ＴＰＲ推定の結果に基づいて前記ＣＣＥのセットを決定することによって前記ＣＣＥのセットを決定するように構成される、
前記少なくとも１つのプロセッサに結合されたメモリと
を備える装置。
【請求項２７】
ワイヤレス通信のためのコンピュータプログラム製品であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、ここにおいて、前記決定することは、
リソース要素グループ（ＲＥＧ）に関してトラフィック対パイロット比（ＴＰＲ）推定を実行することと、
前記ＴＰＲ推定の結果に基づいて前記ＣＣＥのセットを決定することと
を含む、
干渉セルにおいて送信される前記制御チャネルのための１つまたは複数の復号候補のセットを前記決定に基づいて特定することと、
前記候補のセットを評価して、前記制御チャネルを復号するために使用されるべき、１つまたは複数の残存候補を決定することと、
前記決定された１つまたは複数の残存候補から前記制御チャネルを復号することと、
前記復号された制御チャネルからの情報を解釈することと、
前記解釈された情報を使用して、サービングセルにおける送信の復号を支援するために干渉除去を実行する際に使用するための前記干渉セルにおける送信を復号することと
のためのコンピュータ実行可能コードを備える、非一時的なコンピュータ可読媒体
を備えるコンピュータプログラム製品。
【手続補正２】
【補正対象書類名】明細書
【補正対象項目名】００７１
【補正方法】変更
【補正の内容】
【００７１】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に記載されているかどうかにかかわらず、公に供するものではない。いかなるクレーム要素も、その要素が「のための手段」という語句を使用して明確に記載されていない限り、ミーンズプラスファンクションとして解釈されるべきではない。
以下に本願発明の当初の特許請求の範囲に記載された発明を付記する。
［Ｃ１］
ワイヤレス通信のための方法であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、１つまたは複数の残存候補から前記制御チャネルを復号することと、
前記復号された制御チャネルからの情報を解釈することと、
前記解釈された情報を使用して、サービングセルにおける送信の復号を支援するために干渉消去を実行する際に使用するための前記干渉セルにおける送信を復号することと
を備える方法。
［Ｃ２］
前記制約のうちの１つが、各アグリゲーションレベルについて、前記制御チャネルのための利用可能な開始ＣＣＥを制限する制約を備える、Ｃ１に記載の方法。
［Ｃ３］
前記決定することが、
リソース要素グループ（ＲＥＧ）に関してトラフィック対パイロット比（ＴＰＲ）推定を実行することと、
前記ＴＰＲ推定の結果に基づいて前記ＣＣＥのセットを決定することと
を含む、Ｃ１に記載の方法。
［Ｃ４］
前記候補を評価することが、
復号された情報ビットおよび復号されたＣＲＣビットから計算されたＣＲＣ値に基づいて、候補の無線ネットワーク一時識別子（ＲＮＴＩ）を導出しようと試みることと、
ＲＮＴＩを導出することができない候補を取り除くことによって、前記候補セットにおける候補の数を減らすことと
を含む、Ｃ１に記載の方法。
［Ｃ５］
導出されたＲＮＴＩおよび仮定されたアグリゲーションレベルに基づいて、前記導出されたＲＮＴＩに対応する望ましいＣＣＥのセットを含むユーザ機器（ＵＥ）固有の探索空間を導出することと、
前記導出されたＲＮＴＩに対する復号された候補に対応する仮定されたＣＣＥのセットが前記望ましいＣＣＥのセットのサブセットでない、または前記望ましいＣＣＥのセットに等しくない場合、ＣＲＣ失敗を宣言することと、
前記ＣＲＣ失敗の前記宣言に応答して、前記復号された候補を破棄することと
をさらに備える、Ｃ４に記載の方法。
［Ｃ６］
同じセルの同じサブフレーム内の同じ導出されたＲＮＴＩについて複数の候補に対してＣＲＣ合格が宣言された場合、最大のメトリックを有する候補を選択し、残りの候補を破棄すること
をさらに備える、Ｃ４に記載の方法。
［Ｃ７］
同じセルの同じサブフレーム内の重複するＣＣＥを有する複数の候補に対してＣＲＣ合格が宣言された場合、最大のメトリックを有する候補を選択し、残りの候補を破棄すること
をさらに備える、Ｃ４に記載の方法。
［Ｃ８］
同じセルの候補のセットに対してＣＲＣ合格が宣言された場合、かつ少なくとも１つのダウンリンク制御情報（ＤＣＩ）フォーマットが明示的マルチユーザ多入力多出力（ＭＵ−ＭＩＭＯ）サポートに関連付けられていない場合、最も低いメトリックを有する少なくとも１つの候補を破棄すること
をさらに備える、Ｃ４に記載の方法。
［Ｃ９］
前記解釈された情報を使用して、サービングセルにおける送信の復号を支援するために干渉除去を実行する際に使用するための前記干渉セルにおける送信を復号することが、
導出されたＲＮＴＩを使用して、干渉除去を実行する際に使用するための前記干渉セルにおける送信を復号すること
を含む、Ｃ４に記載の方法。
［Ｃ１０］
前記候補を評価することが、
テイルバイティング畳込み符号（ＴＢＣＣ）メトリックを満たさない候補を考慮の対象から外すことによって前記候補セットにおける候補の数を減らすこと
を含む、Ｃ１に記載の方法。
［Ｃ１１］
前記復号候補のセットを特定することが、前記干渉セルのシステム帯域幅、送信アンテナの数、またはキャリアタイプのうちの少なくとも１つに基づいて、前記制御チャネルについて可能なペイロードサイズのセットを決定することを含む、Ｃ１に記載の方法。
［Ｃ１２］
複数のアグリゲーションレベルおよび前記決定されたペイロードサイズの各々について前記制御チャネル候補を復号しようと試みることをさらに備える、Ｃ１１に記載の方法。
［Ｃ１３］
前記ＣＣＥのセットを決定することが、
前記干渉セルの識別子、およびブロードキャストチャネルを復号することによって得られた情報に基づいて、前記ＣＣＥに関する情報を導出すること
を含む、Ｃ１に記載の方法。
［Ｃ１４］
前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含む、Ｃ１に記載の方法。
［Ｃ１５］
前記解釈された情報を使用して、前記潜在的に干渉するセルにおける送信を復号することが、前記解釈された情報を使用して、前記ＰＤＳＣＨのリソースブロック（ＲＢ）割振り、変調次数、およびランクを決定することを含む、Ｃ１４に記載の方法。
［Ｃ１６］
割り当てられたＰＤＳＣＨリソースブロック（ＲＢ）に対してトラフィック対パイロット比（ＴＰＲ）検出を実行して、前記割り当てられたＰＤＳＣＨ  ＲＢの各々におけるＰＤＳＣＨ送信を検出することと、
前記ＴＰＲ検出の結果と前記解釈された情報との比較に基づいて、前記ＰＤＣＣＨの前記解釈された情報が正しいかどうかをチェックすることと
をさらに備える、Ｃ１４に記載の方法。
［Ｃ１７］
割り当てられたＰＤＳＣＨリソースブロック（ＲＢ）に対してブラインド検出を実行して、対応するＰＤＳＣＨ情報を決定することと、
前記決定されたＰＤＳＣＨ情報と前記解釈された情報との比較に基づいて、前記ＰＤＣＣＨの前記解釈された情報が正しいかどうかをチェックすることと
をさらに備える、Ｃ１４に記載の方法。
［Ｃ１８］
ワイヤレス通信のための装置であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定する手段と、
干渉セルにおいて送信される前記制御チャネルのための１つまたは複数の復号候補のセットを前記決定に基づいて特定する手段と、
前記候補のセットを評価して、１つまたは複数の残存候補から前記制御チャネルを復号する手段と、
前記復号された制御チャネルからの情報を解釈する手段と、
前記解釈された情報を使用して、サービングセルにおける送信の復号を支援するために干渉除去を実行する際に使用するための前記干渉セルにおける送信を復号する手段と
を備える装置。
［Ｃ１９］
前記制約のうちの１つが、各アグリゲーションレベルについて、前記制御チャネルのための利用可能な開始ＣＣＥを制限する制約を備える、Ｃ１８に記載の装置。
［Ｃ２０］
前記決定する手段が、
リソース要素グループ（ＲＥＧ）に関してトラフィック対パイロット比（ＴＰＲ）推定を実行し、
前記ＴＰＲ推定の結果に基づいて前記ＣＣＥのセットを決定するように構成される、Ｃ１８に記載の装置。
［Ｃ２１］
前記候補を評価する手段が、
復号された情報ビットおよび復号されたＣＲＣビットから計算されたＣＲＣ値に基づいて、候補の無線ネットワーク一時識別子（ＲＮＴＩ）を導出しようと試み、
ＲＮＴＩを導出することができない候補を取り除くことによって、前記候補セットにおける候補の数を減らすように構成される、Ｃ１８に記載の装置。
［Ｃ２２］
前記解釈された情報を使用して、サービングセルにおける送信の復号を支援するために干渉除去を実行する際に使用するための前記干渉セルにおける送信を復号する前記手段が、
導出されたＲＮＴＩを使用して、干渉除去を実行する際に使用するための前記干渉セルにおける送信を復号するように構成される、Ｃ２１に記載の装置。
［Ｃ２３］
前記候補を評価する手段が、
テイルバイティング畳込み符号（ＴＢＣＣ）メトリックを満たさない候補を考慮の対象から外すことによって前記候補セットにおける候補の数を減らすように構成される、Ｃ１８に記載の装置。
［Ｃ２４］
前記復号候補のセットを特定する手段が、
前記干渉セルのシステム帯域幅、送信アンテナの数、またはキャリアタイプのうちの少なくとも１つに基づいて、前記制御チャネルに対する考えられるペイロードサイズのセットを決定するように構成される、Ｃ１８に記載の装置。
［Ｃ２５］
複数のアグリゲーションレベルおよび前記決定されたペイロードサイズの各々について前記制御チャネル候補を復号しようと試みる手段をさらに備える、Ｃ２４に記載の装置。
［Ｃ２６］
前記制御チャネルが、物理ダウンリンク制御チャネル（ＰＤＣＣＨ）を含み、前記干渉セルにおける前記送信が、前記ＰＤＣＣＨに対応する物理ダウンリンク共有チャネル（ＰＤＳＣＨ）を含む、Ｃ１８に記載の装置。
［Ｃ２７］
前記解釈された情報を使用して、前記潜在的に干渉するセルにおける送信を復号する前記手段が、前記解釈された情報を使用して、前記ＰＤＳＣＨのリソースブロック（ＲＢ）割振り、変調次数、およびランクを決定するように構成される、Ｃ２６に記載の装置。
［Ｃ２８］
ワイヤレス通信のための装置であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、干渉セルにおいて送信される前記制御チャネルのための１つまたは複数の復号候補のセットを前記決定に基づいて特定することと、前記候補のセットを評価して、１つまたは複数の残存候補から前記制御チャネルを復号することと、前記復号された制御チャネルからの情報を解釈することと、前記解釈された情報を使用して、サービングセルにおける送信の復号を支援するために干渉除去を実行する際に使用するための前記干渉セルにおける送信を復号することと、を行うように構成された少なくとも１つのプロセッサと、
前記少なくとも１つのプロセッサに結合されたメモリと
を備える装置。
［Ｃ２９］
ワイヤレス通信のためのコンピュータプログラム製品であって、
１つまたは複数のアグリゲーションレベルについて、潜在的に制御チャネルを含む制御チャネル要素（ＣＣＥ）のセットを、各アグリゲーションレベルに関する利用可能なＣＣＥへの１つまたは複数の制約に基づいて決定することと、
干渉セルにおいて送信される前記制御チャネルのための１つまたは複数の復号候補のセットを前記決定に基づいて特定することと、
前記候補のセットを評価して、１つまたは複数の残存候補から前記制御チャネルを復号することと、
前記復号された制御チャネルからの情報を解釈することと、
前記解釈された情報を使用して、サービングセルにおける送信の復号を支援するために干渉除去を実行する際に使用するための前記干渉セルにおける送信を復号することと
のためのコードを備える、コンピュータ可読媒体
を備えるコンピュータプログラム製品。